(57)【要約】【課題】爪が長かったり爪にネイルアートを施したような女性であっても解放操作を円滑に行うことができるようにした装身具用止金具を提供することを目的とする。【解決手段】常態では前記強コイルバネの反発力で前記ガイド部材はケース本体のテーパ状内周面に向けて押圧され、前記球体は該テーパ状内周面に押されて前記ピン導入路側に押し込まれ、該ピン導入路内に挿通されたピンを挟着して抜け止めし、前記操作カバーを強コイルバネの反発力に抗してケース本体から引き抜く方向に操作したとき、当初は弱コイルバネのストローク分だけ前記連結筒も後退し、さらに引き抜く方向に操作すると前記ガイド部材が後退して前記球体によるピンの挟着が解除され、ピンを引き抜くことができるようにしたことを特徴とする装身具用止金具。【選択図】図２
2013141589.tif 000002
【特許請求の範囲】
【請求項１】
装飾体が備えるピンを出入させるためのピン挿通孔を有し、該ピン挿入孔から外向きのテーパ状内周面を形成した筒状のケース本体と、該ケース本体の長さ方向の大部分を覆うように取り付けた操作カバーとからなるハウジングを備え、
前記ケース本体のテーパ状内周面に沿う小径部及び大径部を所定の間隔で配置するとともに、その内側に前記ピン挿通孔に対応するピン導入路を設け、かつ前記大径部の後部に該ピン導入路を延長して筒状ガイドを形成したガイド部材を前記ハウジング内に取り付け、
前記ガイド部材の小径部及び大径部間に複数の球体を配置するとともに、前記ピン導入路の壁面には開口部を設けて前記球体が出没できるようにしてあり、
前記ガイド部材の筒状ガイドの外側に所定の間隔で連結筒を配置し、かつその一端に前記筒状ガイドの外周に向けて内向きフランジを形成し、その後端を操作カバーの後方端部に固着し、
前記ガイド部材の筒状ガイド先端に設けた外向きフランジと連結筒の内向きフランジとの間に弱コイルバネを装着し、かつ、前記ケース本体端部に設けた内向きフランジとケース本体内に配置されたガイド部材の大径部との間に強コイルバネを装着することにより、
常態では前記強コイルバネの反発力で前記ガイド部材はケース本体のテーパ状内周面に向けて押圧され、前記球体は該テーパ状内周面に押されて前記ピン導入路側に押し込まれ、該ピン導入路内に挿通されたピンを挟着して抜け止めし、
前記操作カバーを強コイルバネの反発力に抗してケース本体から引き抜く方向に操作したとき、当初は弱コイルバネのストローク分だけ前記連結筒も後退し、さらに引き抜く方向に操作すると前記ガイド部材が後退して前記球体によるピンの挟着が解除され、ピンを引き抜くことができるようにしたことを特徴とする装身具用止金具。
【請求項２】
前記ケース本体のテーパ状内周面は、ピン挿通孔側に向けてピン導入路に沿うようカーブさせてあることを特徴とする請求項１に記載の装身具用止金具。
【請求項３】
前記操作カバーは、後方端部に底を備えていることを特徴とする請求項１または２記載の装身具用止金具。
【発明の詳細な説明】
【技術分野】
【０００１】
この発明は、装飾体が備えるピンを着脱自在に保持する装身具用止金具に関するものである。
【背景技術】
【０００２】
装飾体が備えるピンを別途用意される止金具を介して着脱自在に保持できるように形成された装身具には、ピアスやネクタイピン、カフスボタンなどがあり、この場合に用いられる装身具用止金具としては種々の構造のものが提案されてきている。
【０００３】
ちなみにこの発明と同種の、内蔵させた小さい球体によりピンを挟持するようにして保持させるタイプの装身具用止金具としては、以下の各特許文献に開示されているような発明が知られている。
【０００４】
すなわち、実開昭５８−１０７０１０号公報（特許文献１参照）には、先端内部に円錐台状の嵌合溝を備える遊動体と、頭部に設けられた鍔部に小球体を備えて前記嵌合溝内に配置される係合子と、該係合子の終端部に固着される係止基台と、該係止基台と前記鍔部との間に介在させたコイルバネとを備え、前記係合子の係合孔に挿入されて小球体により挟持されているピンは、遊動体をその押圧付勢力に抗して引き上げることで解放できるようにしたそうみ装飾体保持具が開示されている。
【０００５】
実公昭３９−１１８７７号公報（特許文献２参照）には環状に遊支された３個の小鋼球（小球体）を遊動保持させた截頭円錐形を呈する鋼球受と、該鋼球受を小鋼球が常に圧接するように押圧付勢された状態のもとで支持するテーパー管状の鋼球ガイドとを備え、鋼球受をその押圧付勢力に抗して移動させることでピンを解放できるようにしたバッジの座金（止め具）が開示されている。
【０００６】
実公昭３９−３３８０５号公報（特許文献３参照）には、截頭円錐形部位に３個の小球体を環状に緩着したチャック体と、各小球体と対面する内側面にテーパー面を有して常に押圧付勢された状態のもとでチャツク体を支持する止金具とを備え、チャック体が備える円錐面にその押圧付勢力に抗して操作部材を押し付けて各小球体とピンとの係合を解除してピンを解放できるようにしたネクタイピン（止め具）が開示されている。
【０００７】
特開２００８−３９４号公報（特許文献４参照）には、ピアスなど装身具の止め具であって。該止め具は、内周面にテーパーが形成された案内筒と、該案内筒内に配置された複数の小球体と、これらの各小球体に下面が接触する鍔部を備えて押圧付勢されている押圧部材とを有してなり、ピンを挟持する各小球体は、押圧部材が備える摘みを介してその押圧付勢力に抗して引き上げることでその挟持状態を解除できるように形成されている。
【先行技術文献】
【特許文献】
【０００８】
【特許文献１】実開昭５８−１０７０１０号公報
【特許文献２】実公昭３９−１１８７７号公報
【特許文献３】実公昭３９−３３８０５号公報
【特許文献４】特開２００８−３９４号公報
【発明の開示】
【発明が解決しようとする課題】
【０００９】
ところで、上記特許文献１〜４に開示されている先行技術は、そのいずれもがコイルバネの押圧力のもとで球体による挟持力によりピンを挟持しようとするものであり、その解除もつまみ部分を指や爪先で前記押圧力に抗して球体を遊動方向に移動させて挟持力を緩めて行うものであった。
【００１０】
しかしながらこれらの従来技術においては、解除もつまみ部分を指や爪先で前記押圧力に抗して球体を遊動方向に移動させて挟持力を緩めて行うものであるため、例えば爪が長かったり爪にネイルアートを施したような女性においては、つまみ部分が掴みづらいために解放操作も必ずしも円滑に行うことができないという問題があった。
【００１１】
この発明は従来技術の上述のような課題を解消するため、爪が長かったり爪にネイルアートを施したような女性であっても解放操作を円滑に行うことができるようにした装身具用止金具を提供することを目的とする。
【課題を解決するための手段】
【００１２】
すなわちこの発明の装身具用止金具は、装飾体が備えるピンを出入させるためのピン挿通孔を有し、該ピン挿入孔から外向きのテーパ状内周面を形成した筒状のケース本体と、該ケース本体の長さ方向の大部分を覆うように取り付けた操作カバーとからなるハウジングを備え、
前記ケース本体のテーパ状内周面に沿う小径部及び大径部を所定の間隔で配置するとともに、その内側に前記ピン挿通孔に対応するピン導入路を設け、かつ前記大径部の後部に該ピン導入路を延長して筒状ガイドを形成したガイド部材を前記ハウジング内に取り付け、
前記ガイド部材の小径部及び大径部間に複数の球体を配置するとともに、前記ピン導入路の壁面には開口部を設けて前記球体が出没できるようにしてあり、
前記ガイド部材の筒状ガイドの外側に所定の間隔で連結筒を配置し、かつその一端に前記筒状ガイドの外周に向けて内向きフランジを形成し、その後端を操作カバーの後方端部に固着し、
前記ガイド部材の筒状ガイド先端に設けた外向きフランジと連結筒の内向きフランジとの間に弱コイルバネを装着し、かつ、前記ケース本体端部に設けた内向きフランジとケース本体内に配置されたガイド部材の大径部との間に強コイルバネを装着することにより、
常態では前記強コイルバネの反発力で前記ガイド部材はケース本体のテーパ状内周面に向けて押圧され、前記球体は該テーパ状内周面に押されて前記ピン導入路側に押し込まれ、該ピン導入路内に挿通されたピンを挟着して抜け止めし、
前記操作カバーを強コイルバネの反発力に抗してケース本体から引き抜く方向に操作したとき、当初は弱コイルバネのストローク分だけ前記連結筒も後退し、さらに引き抜く方向に操作すると前記ガイド部材が後退して前記球体によるピンの挟着が解除され、ピンを引き抜くことができるようにしたことを特徴とするものである。
【００１３】
この発明の装身具用止金具は、前記ケース本体のテーパ状内周面は、ピン挿通孔側に向けてピン導入路に沿うようカーブさせてあることをも特徴とするものである。
【００１４】
この発明の装身具用止金具は、前記操作カバーは、後方端部に底を備えていることをも特徴とするものである。
【発明の効果】
【００１５】
請求項１に係る発明によれば、装身具用止金具はガイド部材の筒状ガイドの外側に所定の間隔で連結筒を配置し、かつその一端に前記筒状ガイドの外周に向けて内向きフランジを形成し、その後端を操作カバーの底部に固着し、前記ガイド部材の筒状ガイド先端に設けた外向きフランジと連結筒の内向きフランジとの間に弱コイルバネを装着し、かつ、前記ケース本体端部に設けた内向きフランジとケース本体内に配置されたガイド部材の大径部との間に強コイルバネを装着してある。したがって、前記操作カバーが強コイルバネの反発力に抗してケース本体から引き抜く方向に移動したとき、当初は弱コイルバネのストローク分だけ前記連結筒も後退するだけで前記球体によるピンの挟着が解除されることがない。すなわち、誤動作によってピンの挟着が解除されることがない。
【００１６】
請求項２に係る発明によれば、装身具用止金具は前記ケース本体のテーパ状内周面は、ピン挿通孔側に向けてピン導入路に沿うようカーブさせてある。したがって、非常に短いストローク幅で０．６〜１．２ｍｍ程度、望ましくは０．６〜１．０ｍｍの太さの異なるピンに対応することができる。
【００１７】
請求項３に係る発明によれば、装身具用止金具は前記操作カバーは後方端部に底を備えているので、前記操作カバーに装飾を施すことが容易となり、ピンを取り付けた装飾体のみならず操作カバーをも装飾的な機能を持たせることができる。
【図面の簡単な説明】
【００１８】
【図１】この発明の装身具用止金具の実施の形態を示し、ピンを挿通した状態の内部構造を示す断面図である。
【図２】ピンを引き抜く状態を示す断面図である。
【図３】ガイド部材の平面図である。
【図４】ガイド部材の断面図である。
【図５】連結筒を操作カバーに装着する状態を示す説明図である。
【発明を実施するための形態】
【００１９】
以下、図面に基いてこの発明の実施の形態を詳細に説明する。
図１ないし図５はこの発明の装身具用止金具の１実施例を示すものである。
まず、装身具用止金具１１は図１および図２に示すように、装飾体が備えるピン６１を出入させるためのピン挿通孔２２を有し、該ピン挿入孔２２から外向きのテーパ状内周面２３を形成した筒状のケース本体２１と、該ケース本体２１の長さ方向の大部分を覆うように取り付けた操作カバー３１とからなるハウジングを備えている。
【００２０】
また、前記ケース本体２１のテーパ状内周面２３に沿う小径部４２及び大径部４３を所定の間隔で配置するとともに、その内側に前記ピン挿通孔２２に対応するピン導入路４４を設け、かつ前記大径部４３の後部に該ピン導入路４４を延長して筒状ガイド４５を形成したガイド部材４１が前記ハウジング内に取り付けてある。
そして、図３および図４に示すように、前記ガイド部材４１の小径部４２及び大径部４３間に設けた球体通路４６ａ内に複数の球体４６を配置するとともに、前記ピン導入路４４の壁面には開口部４７が設けてあって前記球体４６が前記ピン導入路４４内へ出没できるようになっている。４８は前記ガイド部材４１の筒状ガイド４５先端に設けた外向きフランジである。
【００２１】
前記ガイド部材４１の筒状ガイド４５の外側には所定の間隔で中空の空間を有するように連結筒４９を配置し、該連結筒４９の一端には前記筒状ガイド４５の外周に向けて内向きフランジ５１ａを、またその後端には外向きフランジ５１ｂをそれぞれ形成してある。
他方、前記操作カバー３１の後方端部には内向きのフランジ３１ａが形成され、かつ前記内向きフランジ３１ａの内周面には下方に向けてつぼまるテーパ面３１ｂが形成してあるので、前記連結筒４９後端の外向きフランジ５１ｂを素材の弾性を利用して該テーパ面３１ｂに沿って押し込むことにより、該テーパ面３１ｂを通過した外向きフランジ５１ｂは前記内向きフランジ３１ａに係合して確実に固着される。
もちろん、前記連結筒４９を図５に示すようなカシメ等の手段で前記操作カバー３１の後方端部に固着する構造とすることもできる。
【００２２】
その上で、前記ガイド部材４１の筒状ガイド４５先端に設けた外向きフランジ４８と前記連結筒４９の内向きフランジ５１との間に弱コイルバネ５２が装着してある。
また、前記ケース本体２１の端部に設けた内向きフランジ２４とケース本体２１内に配置されたガイド部材４１の大径部４３との間には強コイルバネ５３が装着してある。
【００２３】
こうすることによって図１に示すように、常態では前記強コイルバネ５３の反発力で前記ガイド部材４１はケース本体２１のテーパ状内周面２３に向けて押圧され、前記球体４６は該テーパ状内周面２３に押されて前記ピン導入路４４側に押し込まれている。したがって、該ピン導入路４４内に挿通されたピン６１は前記球体４６に挟着されて抜け止めされる。
【００２４】
他方、図２に示すように、前記操作カバー３１を強コイルバネ５３の反発力に抗してケース本体２１から引き抜く方向に操作したときは、当初は弱コイルバネ５２のストローク分だけ前記連結筒４９も後退する。その時点では前記ガイド部材４１は強コイルバネ５３の反発力が強いので後退することはない。
前記操作カバー３１をさらに引き抜く方向に操作すると、弱コイルバネ５２のストローク分の移動が終わり、前記連結筒４９にけん引されて前記ガイド部材４１が後退し、前記ケース本体２１のテーパ状内周面２３による押圧力がなくなって、前記球体４６によるピン６１の挟着が解除され、ピン６１を簡単に引き抜くことができるようになる。
【００２５】
この実施例の装身具用止金具１１は、前記ケース本体２１のテーパ状内周面２３が、ピン挿通孔２２側に向けて前記ガイド部材４１のピン導入路４４に沿うよう、内側が膨らむようにカーブさせてある。
こうしておけば、前記ガイド部材４１の移動ストロークが短くても、該ストローク幅で０．６〜１．５ｍｍ程度の太さの異なるピンにも充分対応することが可能となる。
【００２６】
この実施例の装身具用止金具１１は、前記操作カバー３１が後方端部に底３２を備えていてもよい。
こうしておけば、前記操作カバー３１に適宜の装飾を施すことが容易となり、ピン６１を取り付けた装飾体のみならず操作カバー３１にも装飾的な機能を持たせることができるので、装身具全体として非常に装飾価値の高いものとすることができる。
【００２７】
以上は、この発明を具体的な実施の形態に基いて説明したものであり、その具体的な内容は、この発明の要旨を逸脱しない限り、種々の変形を加えることができる。
例えば、前記球体４６の数は図の例では３個となっているが、２個のほか、４個以上であってもよい。
【産業上の利用可能性】
【００２８】
この発明は以上のように構成したので、ピンの円滑な挿入と確実な挟持とができる装身具用止金具として、ピアスやネクタイピン、カフスボタンのみならず、ピンを用いる種々の装身具に利用することができる。
【符号の説明】
【００２９】
１１  装身具用止金具
２１  ケース本体
２２  ピン挿通孔
２３  テーパ状内周面
２４  内向きフランジ
３１  操作カバー
３１ａ  内向きのフランジ
３１ｂ  テーパ面
３２  底
４１  ガイド部材
４２  小径部
４３  大径部
４４  ピン導入路
４５  筒状ガイド
４６  球体
４６ａ  球体通路
４７  開口部
４８  外向きフランジ
４９  連結筒
５１ａ  内向きフランジ
５１ｂ  外向きフランジ
５２  弱コイルバネ
５３  強コイルバネ
６１  ピン
【図１】
2013141589.tif 000003
【図２】
2013141589.tif 000004
【図３】
2013141589.tif 000005
【図４】
2013141589.tif 000006
【図５】
2013141589.tif 000007